(57)【要約】【課題】  古紙回収用袋に収容している古紙を、この古紙回収用袋とともに袋体の外側から紐体によって緊締する際、紐体で袋内の古紙をしっかりと緊締できる古紙回収用袋を提供できるようにする。【解決手段】  有底にして上部が開口する古紙回収用袋１の矩形をなす底部３に、前記底部３を囲む辺のうち向かい合う少なくとも一対の辺に、各辺をまたいで底部３と側部４にわたる窓６を設け、この古紙回収用袋１内に積み重ねて収容した新聞紙等の古紙１０を、紐１２によって古紙回収用袋１とともに同袋１の外側から緊締する際に、前記窓６から臨む古紙束の角部に同紐１２を接触させて緊締できるように構成した。【選択図】  図３
2010070315.tif 000002
【特許請求の範囲】
【請求項１】
新聞紙等の古紙を積み重ねて収容する古紙回収用袋であって、有底にして上部が開口する袋体の矩形をなす底部に、前記底部を囲む辺のうち向かい合う少なくとも一対の辺に、各辺をまたいで底部と側部にわたる窓を設け、この袋内に積み重ねて収容した前記古紙を、紐体によって同袋体とともに袋体の外側から緊締する際に、前記窓から臨む古紙束の角部に同紐体を接触させて緊締できるように構成してなる古紙回収用袋。
【請求項２】
前記窓を形成している辺に続く袋体の側部の上辺を切り欠いて、この袋内に積み重ねて収容した前記古紙を、紐体によって同袋体とともに袋体の外側から緊締する際に、前記切り欠き部から臨む古紙束の角部に同紐体を接触させて緊締できるように構成してなる請求項１に記載の古紙回収用袋。
【請求項３】
前記窓を形成している辺に続く袋体の側部における同窓の上方に、前記緊締用の紐体を通すことができる第２の窓を少なくとも１箇所に形成してなる請求項１に記載の古紙回収用袋。
【請求項４】
前記袋体の側部上辺に続けてフラップを設け、前記窓を形成している辺に続く袋体の側部上辺に、同側部上辺をまたいで側部とフラップにわたる第３の窓を設け、この袋内に積み重ねて収容した前記古紙を、紐体によって同袋体とともに袋体の外側から緊締する際に、前記第３の窓から臨む古紙束の角部に同紐体を接触させて緊締できるように構成してなる請求項１に記載の古紙回収用袋。
【請求項５】
前記窓は、袋体の所定部分に切れ込みを入れて形成した窓片を、袋体の内方あるいは外方に折り畳むことによって同窓が形成されるように構成してなる請求項１に記載の古紙回収用袋。
【請求項６】
前記袋体を、底部よりも袋体の上部における開口部が広いテーパー状に形成してなる請求項１に記載の古紙回収用袋。
【請求項７】
前記古紙回収袋を、リサイクル可能な紙材より形成してなる請求項１に記載の古紙回収用袋。
【請求項８】
前記緊締用の紐体を、少なくとも袋体の側部と底部にわたる窓を通過できるよう袋体の所定部位に取り付けてなる請求項１に記載の古紙回収用袋。
【請求項９】
前記緊締用の紐体を、必要に応じて袋体に設けた各窓の上を通過もしくは所定の窓間に通した状態に予め取り付けてなる請求項８に記載の古紙回収用袋。
【請求項１０】
前記紐体の両遊端部を緊締する際に、袋内に積み重ねて収容した前記古紙束の角部で紐体の結び目を形成できるよう、前記紐体の位置調整をして取り付けてなる請求項８に記載の古紙回収用袋。
【請求項１１】
前記紐体に、略短手方向に皺を形成してなるリサイクル可能な平紐を用いて構成してなる請求項８に記載の古紙回収用袋。
【請求項１２】
有底にして上部が開口する袋体の矩形をなす底部に、前記底部を囲む辺のうち向かい合う少なくとも一対の辺に、各辺をまたいで底部と側部にわたる窓を設け、この袋内に積み重ねて収容した古紙を、紐体によって同袋体とともに袋体の外側から緊締する際に、前記窓から臨む古紙束の角部に同紐体を接触させて緊締できるように構成してなる古紙回収用袋を入れ子状に収容するための収容箱であって、前記古紙回収用袋の形状に対応する有底にして上部が開口し、本体側部に、同箱内にセットする前記古紙回収用袋の緊締用の紐体を係着しておくための係着片を設けて構成してなる古紙回収用袋の収容箱。
【発明の詳細な説明】
【技術分野】
【０００１】
本発明は、新聞紙等の古紙を積み重ねて収容する古紙回収用袋に関し、より詳しくは、紐体でこの袋内の古紙を同袋体とともに袋体の外側から緊締する際、紐体で袋内の古紙をしっかりと緊締できるようにした古紙回収用袋に関する。
【背景技術】
【０００２】
従来、新聞紙等の古紙は、例えば古紙回収用袋に日ごと積み重ねられて溜まっていった古紙を、古紙回収用袋とともに袋体の外側から紐体によって緊締し、所定の回収場所まで人が持ち運んでいる。
【０００３】
古紙回収用袋に積み重ねて収容した新聞紙等の古紙をこの古紙回収用袋とともに袋体の外側から紐体によって緊締した場合、同紐体の締め付けによって古紙回収用袋が拠れ、同古紙回収用袋とともに収容している古紙をしっかりと緊締することができないことがあった。
【０００４】
また、古紙回収用袋に積み重ねて収容した新聞紙等の古紙をこの古紙回収用袋とともに袋体の外側から紐体によって緊締して、同紐体に手を掛けて古紙回収用袋を所定の回収場所まで持ち運ぶ際、紐体が緊締された位置からずれ、場合によっては紐体が古紙回収用袋から外れてしまうこともあった。
【０００５】
【特許文献１】特開２００２−２５５３０２号公報（第１〜５頁、図１〜２）
【特許文献２】特開２００５−３１３９６８号公報（第１〜１２頁、図１〜４）
【発明の開示】
【発明が解決しようとする課題】
【０００６】
本発明は、古紙回収用袋に収容した古紙を、この古紙回収用袋とともに袋体の外側から紐体によって緊締する際、紐体で袋内の古紙をしっかりと緊締できるようにして、この古紙回収用袋を緊締している紐体に手を掛けて同古紙回収用袋を所定の回収場所まで持ち運ぶ際も、緊締している紐体のずれを無いに等しくできて安定して持ち運ぶことができる古紙回収用袋と、同古紙回収用袋を回収の時期まで安定して保持しておくことができる同袋の収容箱を提供できるようにした。
【課題を解決するための手段】
【０００７】
上述した課題を解決するために、本発明に係る古紙回収用袋は、新聞紙等の古紙を積み重ねて収容する古紙回収用袋であって、有底にして上部が開口する袋体の矩形をなす底部に、前記底部を囲む辺のうち向かい合う少なくとも一対の辺に、各辺をまたいで底部と側部にわたる窓を設け、この袋内に積み重ねて収容した前記古紙を、紐体によって同袋体とともに袋体の外側から緊締する際に、前記窓から臨む古紙束の角部に同紐体を接触させて緊締できるように構成したものとしてある。
【０００８】
また前記窓を形成している辺に続く袋体の側部の上辺を切り欠いて、この袋内に積み重ねて収容した前記古紙を、紐体によって同袋体とともに袋体の外側から緊締する際に、前記切り欠き部から臨む古紙束の角部に同紐体を接触させて緊締できるように構成したものとしてある。
【０００９】
さらに前記窓を形成している辺に続く袋体の側部における同窓の上方に、前記緊締用の紐体を通すことができる第２の窓を少なくとも１箇所に形成したものとしてある。
【００１０】
また前記袋体の側部上辺に続けてフラップを設け、前記窓を形成している辺に続く袋体の側部上辺に、同側部上辺をまたいで側部とフラップにわたる第３の窓を設け、この袋内に積み重ねて収容した前記古紙を、紐体によって同袋体とともに袋体の外側から緊締する際に、前記第３の窓から臨む古紙束の角部に同紐体を接触させて緊締できるように構成したものとしてある。
【００１１】
そして前記窓は、袋体の所定部分に切れ込みを入れて形成した窓片を、袋体の内方あるいは外方に折り畳むことによって同窓が形成されるように構成したものとしてある。
【００１２】
また前記袋体を、底部よりも袋体の上部における開口部が広いテーパー状に形成したものとしてある。
【００１３】
さらに前記古紙回収用袋を、リサイクル可能な紙材より形成したものとしてある。
【００１４】
そして前記緊締用の紐体を、少なくとも袋体の側部と底部にわたる窓を通過できるよう袋体の所定部位に取り付けたものとしてある。
【００１５】
また前記緊締用の紐体を、必要に応じて袋体に設けた各窓の上を通過もしくは所定の窓間に通した状態に予め取り付けたものとしてある。
【００１６】
さらに前記紐体の両遊端部を緊締する際に、袋内に積み重ねて収容した前記古紙束の角部で紐体の結び目を形成できるように、前記紐体の位置調整をして取り付けたものとしてある。
【００１７】
また前記紐体に、略短手方向に皺を形成してなるリサイクル可能な平紐を用いて構成したものとしてある。
【００１８】
有底にして上部が開口する袋体の矩形をなす底部に、前記底部を囲む辺のうち向かい合う少なくとも一対の辺に、各辺をまたいで底部と側部にわたる窓を設け、この袋内に積み重ねて収容した古紙を、紐体によって同袋体とともに袋体の外側から緊締する際に、前記窓から臨む古紙束の角部に同紐体を接触させて緊締できるように構成してなる古紙回収用袋を入れ子状に収容するための収容箱であって、前記古紙回収用袋の形状に対応する有底にして上部が開口し、本体側部に、同箱内にセットする前記古紙回収用袋の緊締用の紐体を係着しておくための係着片を設けて構成したものとしてある。
【発明の効果】
【００１９】
本発明の古紙回収用袋と同袋の収容箱によれば、古紙回収用袋に収容した古紙を、この古紙回収用袋とともに同袋の外側から紐体によって緊締した場合でも、この袋内に積み重ねて収容した古紙束の下方乃至上方の角部が同袋に設けた窓から外部に臨むので、同紐体を同古紙束の角部に接触させて緊締することができる。
【００２０】
したがって、古紙回収用袋とともに袋内の古紙をしっかりと緊締できて、この古紙回収用袋を緊締している紐体に手を掛けて同古紙回収用袋を所定の回収場所まで持ち運ぶ際も、緊締している紐体のずれを無いに等しくできて安定して持ち運ぶことができる。
【００２１】
また、古紙回収用袋に有する窓よりこの袋内に収容した古紙の積み重ね状態が見えるので、この古紙回収用袋とともに袋体の外側から紐体によって緊締する際に紐体を締め込み易く、古紙回収用袋とともに袋内の古紙を確実にかつしっかりと緊締することができる。
【００２２】
さらに、古紙回収用袋に緊締用の紐を備えるものは、平坦に折り畳まれて保管している同袋を立体に組み立てると同時に、緊締用の紐が配置された古紙回収用袋にワンタッチで完成し、そして紐の両遊端部を緊締する際に、結び目が、この袋内に積み重ねて収容した古紙束の角部にくるので、使い勝手をよくすることができる。
【００２３】
また、古紙回収用袋に設ける緊締用の紐を、略短手方向に皺を形成してなる平紐を用いることでしっかりと緊締することができ、かつ同紙紐および古紙回収用袋にリサイクル可能な紙材を用いれば、同紙紐および古紙回収用袋を回収した古紙とともにリサイクルすることができる。
【００２４】
そして、この古紙回収用袋を、同袋を収容する収容箱とともに用いると、床等に古紙回収用袋を直に置いて用いる場合に対し、古紙回収用袋を安定してかつスマートに置けるので、家庭内は勿論のこと特に来客の出入りがあるオフィス等ではオフィス内の美観を損なうことなく使用できる。
【発明を実施するための最良の形態】
【００２５】
以下、本発明の古紙回収用袋と同袋の収容箱を添付図面に基づいて説明する。
まず、古紙回収用袋について、実施形態ごとに構成および使用形態等を説明し、これら各実施形態の古紙回収用袋に共通して実施できる構成は、後で改めて説明する。
【００２６】
図１に示す古紙回収用袋は、本発明に係る古紙回収用袋の基本形態を示していて、この古紙回収用袋１は、上部に新聞紙や雑誌等の古紙を収納するための開口たる収納口２を配し、また底部３を角底にした例えばクラフト紙よりなる一般的な角底袋に構成してあって、さらに古紙回収用袋１の底部３の向かい合う一対の辺をまたいで底部３と側部４にわたる窓６を設けている。
【００２７】
なお、当業者の用語として、本発明に係る古紙回収用袋の底部を底、側部を胴と表現する場合がある。
【００２８】
古紙回収用袋１の使用形態は、例えば新聞紙や雑誌等の古紙を、順に古紙回収用袋１の収納口２より古紙回収用袋１内に平らに積み重ねて入れていくもので、図２に示すように、同古紙１０は古紙回収用袋１内に積み重ねられて収容される。
【００２９】
この収容した古紙１０は、同古紙１０を収容した古紙回収用袋１とともに同古紙回収用袋１の外側から紐１２によって緊締されるのであるが、前述するように、古紙回収用袋１の底部３の向かい合う一対の辺に、前記各辺をまたいで底部３と側部４にわたる窓６を設けているので、紐１２による緊締の際、図３に示すように、古紙回収用袋１の底部３に掛け回した紐１２を、同古紙回収用袋１の窓６から外部に臨む古紙１０における束角部に接触させて（端縁との接触部１１）緊締できる。
【００３０】
そして、実施例では古紙１０を古紙回収用袋１の側部４の高さよりも高く積み重ねているので、これによって同古紙１０を収容した古紙回収用袋１とともに同古紙回収用袋１の外側から紐１２によって緊締する際、古紙回収用袋１の底部３に掛け回した紐１２を、同古紙回収用袋１の窓６から外部に臨む古紙１０の束角部と、同古紙回収用袋１の側部４の高さよりも高く積み重ねたことにより外部に臨んでいる古紙１０の上下両方の束角部に接触させて（端縁との接触部１１）緊締できる。
【００３１】
図４に示す古紙回収用袋は、上部に新聞紙や雑誌等の古紙を収納するための開口たる収納口２を配し、また底部３を角底にした例えばクラフト紙よりなる一般的な角底袋に構成してあって、さらに古紙回収用袋１の底部３の向かい合う一対の辺に、前記各辺をまたいで底部３と側部４にわたる窓６を設け、さらに同窓６の上方に位置する側部４の上辺を切り欠いて、切り欠き９を設けているものである。
【００３２】
この図４に示す古紙回収用袋１の使用形態も、前記図１に示した古紙回収用袋と同様で、同古紙１０は古紙回収用袋１内に積み重ねられて収容される（図５参照）。
【００３３】
この収容した古紙１０は、古紙回収用袋１とともに同古紙回収用袋１の外側から紐１２によって緊締されるのであるが、前述するように、古紙回収用袋１の底部３の向かい合う一対の辺に、前記各辺をまたいで底部３と側部４にわたる窓６と、同窓６の上方に位置する側部４の上辺を切り欠いて切り欠き９を設けているので、紐１２による緊締の際、図６に示すように、古紙回収用袋１の底部３に掛け回した紐１２を、同古紙回収用袋１の窓６および切り欠き９から外部に臨む古紙１０の束角部に接触させて（端縁との接触部１１）緊締できる。
【００３４】
図７に示す古紙回収用袋は、上部に新聞紙や雑誌等の古紙を収納するための開口たる収納口２を配し、また底部３を角底にした例えばクラフト紙よりなる一般的な角底袋に構成してあって、さらに古紙回収用袋１の底部３の向かい合う一対の辺に、前記各辺をまたいで底部３と側部４にわたる窓６と、同窓６の上方に位置する側部４の上辺を切り欠いて切り欠き９を設け、前記窓６と前記切り欠き９との間に、必要に応じて緊締用の紐体１２を通すことができる第２の窓７を設けているものである。
【００３５】
この図７に示す古紙回収用袋１の使用形態も、前記図１に示した古紙回収用袋と同様で、同古紙１０は古紙回収用袋１内に積み重ねられて収容される（図８参照）。
そして図８は、収容した古紙１０が古紙回収用袋１の上部に設けた切り欠き９まで達していない状態を示している。
【００３６】
この収容した古紙１０は、古紙回収用袋１とともに同古紙回収用袋１の外側から紐１２によって緊締されるのであるが、前述するように、古紙回収用袋１の底部３の向かい合う一対の辺に、前記各辺をまたいで底部３と側部４にわたる窓６と、同窓６の上方に位置する側部４の上辺切り欠いて切り欠き９を設け、さらに前記窓６と切り欠き９との間に、必要に応じて緊締用の紐体１２を通すことができる第２の窓７を設けているので、図８に示すように、収容した古紙１０が古紙回収用袋１の上部に設けた切り欠き９まで達していない状態で紐１２による緊締を行なう際、図９に示すように、古紙回収用袋１の底部３に掛け回した紐１２を、同古紙回収用袋１の窓６より袋内に導くことができるので、同紐１２を古紙回収用袋１の窓６から外部に臨む古紙１０の束角部と、袋内における古紙１０における上方部の束角部に接触させて（端縁との接触部１１）緊締できる。
【００３７】
図１０に示す古紙回収用袋は、上部に新聞紙や雑誌等の古紙を収納するための開口たる収納口２を配し、また底部３を角底にした例えばクラフト紙よりなる一般的な角底袋に構成してあって、さらに古紙回収用袋１の底部３の向かい合う一対の辺に、前記各辺をまたいで底部３と側部４にわたる窓６と、同窓６と側部４の上辺との間に、必要に応じて緊締用の紐体１２を通すことができる第２の窓７と、前記側部４の上辺に続けてフラップ５を設けて、同側部４の上辺とフラップ５との接続辺部に、同接続辺部をまたいで側部４とフラップ５にわたる第３の窓を設けているものである。
【００３８】
この図１０に示す古紙回収用袋１の使用形態も、前記図１に示した古紙回収用袋と同様で、同古紙１０は古紙回収用袋１内に積み重ねられて収容される（図１１参）。
【００３９】
この収容した古紙１０は、同古紙１０を収容している古紙回収用袋１とともに同古紙回収用袋１の外側から紐１２によって緊締されるのであるが、前述するように、古紙回収用袋１の底部３の向かい合う一対の辺に、前記各辺をまたいで底部３と側部４にわたる窓６と、同窓６と側部４の上辺との間に、必要に応じて緊締用の紐体１２を通すことができる第２の窓７と、前記側部４の上辺に続けてフラップ５を設けて、同側部４の上辺とフラップ５との接続辺部に、前記接続辺部をまたいで側部４とフラップ５にわたる第３の窓を設けているので、紐１２による緊締の際、図１２に示すように、フラップ５を古紙回収用袋１の収納口２に被せて袋内の収納物が見えないようにした場合であっても、古紙回収用袋１の底部３に掛け回した紐１２を、同古紙回収用袋１の窓６および第３の窓８から外部に臨む古紙１０の束角部に接触させて（端縁との接触部１１）緊締できる。
【００４０】
前述する各古紙回収用袋は、所定の形態に裁断した１枚の紙から形成できるようにしていて、また、これら古紙回収用袋は通常では平坦に折り畳まれていて、使用する際に袋状に広げられるように構成している。
【００４１】
そして、古紙回収用袋１の本体（袋体）を、下方よりも収納口を配した上方を広くするテーパー状に形成して、古紙を入れ易くする場合がある。
【００４２】
また、古紙回収用袋１をリサイクル可能な紙材より形成して、同古紙回収用袋１内に収容する古紙をこの古紙回収用袋１ごとリサイクル処理をできるようにする場合がある。
【００４３】
緊締用の紐１２を、図１３（ａ）図に示すように、少なくとも古紙回収用袋１の底部３に設けた窓６の位置を通過できるよう予め粘着テープ１６によって同底部３に取り付けておき、紐１２を古紙回収用袋１に掛け回す手間を省略できるようにする場合がある。
【００４４】
また図１３（ｂ）図に示すように、紐１２を底部３に取り付ける際、非接着部１７を有する粘着テープ１６によって同底部３に取り付け、同紐１２が図１３中の矢印方向に移動できるようにして、紐１２の両遊端部の位置を調整できるようにする場合がある。
【００４５】
緊締用の紐体１２を、図１４に示すように、必要に応じて古紙回収用袋１に設けている各窓（窓６、第２の窓７、第３の窓８）の上を通過もしくは所定の窓（窓６、第２の窓７、第３の窓８）間に通した状態に予め取り付けておく場合がある。
【００４６】
粘着テープ１６によって古紙回収用袋１の底部３に取り付けた紐１２の両遊端部を緊締する際に、同古紙回収用袋１内に積み重ねて収容した古紙１０における上方部の束角部で結び目１３を形成できるように同紐１２を取り付けておく場合がある。
【００４７】
緊締用の紐体１２を、略短手方向に皺を形成してなるリサイクル可能な平紐を用いる場合がある。
【００４８】
古紙回収用袋１に設けている各窓（窓６、第２の窓７、第３の窓８）を、同古紙回収用袋１の所定部分に切れ込みを入れて形成した窓片１４を、紙回収用袋１の内方あるいは外方に折り畳むことによってこれら窓（窓６、第２の窓７、第３の窓８）が形成されるようにし、かつ窓片１４の折り畳み方向を緊締用の紐体１２の通過方向に対応させて折り畳んで、前記各窓の縁を補強できるようにする場合がある。
【００４９】
切り欠き９の形成を、前記各窓（窓６、第２の窓７、第３の窓８）の形成と同じように、同古紙回収用袋１の所定部分に切れ込みを入れて形成した切り欠き片１５を、紙回収用袋１の内方あるいは外方に折り畳むことによって切り欠き９が形成されるようにし、かつ切り欠き片１５の折り畳み方向を緊締用の紐体１２の通過方向に対応させて折り畳んで、切り欠き９の縁を補強できるようにする場合がある。
【００５０】
そして、前述する古紙回収用袋１を収容するための収容箱は、図１５に示すように、上部に古紙回収用袋１を入れ込むための開口１９を配し、側部２０に、同収容箱１８にセットする前記古紙回収用袋１の緊締用の紐１２を係着しておくための係着片２２を設けた、例えばプラスチック製のダンボール（プラダン）よりなる一般的な角底箱に構成している。
【００５１】
また、収容箱１８にフラップ５を有した古紙回収用袋１を入れ込む際は、図１６に示すように、紐１２を古紙回収用袋１に有するフラップ５上を通すようにして収容箱１８の係着片２２に係着することで、同収容箱１８に収容している古紙回収用袋１におけるフラップ５の捲れ上がりを低減できる。
【００５２】
収容箱１８は、下方よりも古紙回収用袋１を入れ込むための開口１９を配した上方を広くするテーパー状に形成して、古紙回収用袋１を入れ易くする場合がある。
【００５３】
実施例における図１５、図１６中の符号２１は、係着片２２を形成するために収容箱１８の側部２０に形成した切れ込み、符号２３は、収容箱１８に入れ込む古紙回収用袋１に設けた第３の窓８または切り欠き９に対応するよう形成している切り欠きである。
【００５４】
前記窓片１４と前記切り欠き片１５を袋体から切り離さないのでごみを出さないだけでなく、前記窓片１４と前記切り欠き片１５を緊締用の紐体１２の通過方向に対応する内方あるいは外方に折り畳むことによって前記各窓の縁を補強できる。
【図面の簡単な説明】
【００５５】
【図１】本発明に係る古紙回収用袋の実施例を示す斜視図。
【図２】古紙を収納した状態の図１に示す古紙回収用袋の斜視図。
【図３】紐で緊締した状態の図２に示す古紙回収用袋の斜視図。
【図４】本発明に係る古紙回収用袋の実施例を示す斜視図。
【図５】古紙を収納した状態の図４に示す古紙回収用袋の斜視図。
【図６】紐で緊締した状態の図５に示す古紙回収用袋の斜視図。
【図７】本発明に係る古紙回収用袋の実施例を示す斜視図。
【図８】古紙を収納した状態の図７に示す古紙回収用袋の斜視図。
【図９】紐で緊締した状態の図８に示す古紙回収用袋の一部切り欠き斜視図。
【図１０】本発明に係る古紙回収用袋の実施例を示す斜視図。
【図１１】古紙を収納した状態の図１０に示す古紙回収用袋の斜視図。
【図１２】紐で緊締した状態の図１１に示す古紙回収用袋の斜視図。
【図１３】緊締用の紐を設けた古紙回収用袋を底面より見た図。
【図１４】緊締用の紐を設けた古紙回収用袋を示す斜視図。
【図１５】古紙回収用袋を収容するための収容箱を示す斜視図。
【図１６】収容箱にセットした状態の古紙回収用袋を示す斜視図。
【符号の説明】
【００５６】
１  古紙回収用袋
２  収納口
３  底部
４  側部
５ フラップ
６  窓
７  第２の窓
８  第３の窓
９  切り欠き
１０  古紙
１１ 端縁との接触部
１２  紐
１３  結び目
１４  窓片
１５  切り欠き片
１６  粘着テープ
１７  非接着部
１８  収容箱
１９  開口
２０  側部
２１  切れ込み
２２  係着片
２３  切り欠き
【図１】
2010070315.tif 000003
【図２】
2010070315.tif 000004
【図３】
2010070315.tif 000005
【図４】
2010070315.tif 000006
【図５】
2010070315.tif 000007
【図６】
2010070315.tif 000008
【図７】
2010070315.tif 000009
【図８】
2010070315.tif 000010
【図９】
2010070315.tif 000011
【図１０】
2010070315.tif 000012
【図１１】
2010070315.tif 000013
【図１２】
2010070315.tif 000014
【図１３】
2010070315.tif 000015
【図１４】
2010070315.tif 000016
【図１５】
2010070315.tif 000017
【図１６】
2010070315.tif 000018